(57)【要約】本発明は、調節対象の部屋内に膜天井を作製するためのキャンバスハンガー異形材（６ａ、６ｂ）に関し、連結ライニング（６２）によって一緒に連結された少なくとも２つのウィング（６１、６３）を備え、ウィングはスロット（２２）を画定するように互いに配置され、ハンガー異形材は、空気がハンガー異形材を通ってスロット（２２）からまたはスロット（２２）に向かって通過することを可能とするように配置された少なくとも１つの開口部（１９）を有することを特徴とする。本発明は、また、調節対象の部屋内で空気を循環させることを可能にする天井アセンブリに関し、調節対象の部屋（１）の壁間を延び、複数のハンガー異形材によって当該壁に固定された伸張されたキャンバスを備え、複数のハンガー異形材の少なくとも１つが、空気がプレナムと調節対象の部屋との間を通過することを可能にするためにハンガー異形材（６ａ、６ｂ）であることを特徴とする。【選択図】  図２
2019533099.tif 000002
【特許請求の範囲】
【請求項１】
調節対象の部屋（１）内に膜天井を作製するためのキャンバスハンガー異形材（６ａ、６ｂ、２４、３２、３４）であって、連結ライニング（６２）によって一緒に連結された少なくとも２つのウィング（６１、６３）を備え、前記ウィングの一方が、調節対象の前記部屋の壁上に前記ハンガー異形材を締結することを可能にするように配置され、キャンバスハンガーウィングを構成する第２のウィングには、キャンバスフックのブロッキング端部が設けられる、キャンバスハンガー異形材において、前記連結ライニングおよび前記ハンガーウィングが、一緒になって、前記異形材を通り、前記ハンガーウィングフックの前記ブロッキング端部によって範囲を定められた、閉じられていない空気通路スロットを画定するように配置され、前記異形材が、空気が前記異形材を通って前記スロットからまたは前記スロットに向かって通過することを可能にするように配置された少なくとも１つの開口部（１９）を有することを特徴とする、キャンバスハンガー異形材。
【請求項２】
前記キャンバスハンガーウィングが、前記ウィングの方向に収束して、前記ハンガー異形材または前記ハンガー異形材が締結された壁の締結を可能にすることを特徴とする、請求項１に記載の吊り下げ異形材（６ａ、６ｂ、２４、３２、３４）。
【請求項３】
前記キャンバスハンガーウィングに設けられた貫通開口部（１９）を有することを特徴とする、請求項２に記載の吊り下げ異形材（６ａ、６ｂ、２４、３２、３４）。
【請求項４】
前記連結ライニング（６２）に設けられた貫通開口部（１９）を有することを特徴とする、請求項１〜３のいずれか一項に記載のハンガー異形材（６ａ、６ｂ、２４、３２、３４）。
【請求項５】
前記キャンバスハンガーウィングが、他方のウィングに対して９０度未満、好ましくは３０度から５０度の間の傾斜角を有するように配置されることを特徴とする、請求項２〜４のいずれか一項に記載のハンガー異形材（６ａ、６ｂ、２４、３２、３４）。
【請求項６】
前記ウィングが、前記貫通開口部（１９）と連通するスロット（２２）を画定するように配置されることを特徴とする、請求項１〜４のいずれか一項に記載のハンガー異形材（６ａ、６ｂ、２４、３２、３４）。
【請求項７】
前記ハンガー異形材が、前記空気が前記スロットまたは前記貫通開口部のどちらを通って入るかに応じて、前記異形材を通る前記空気流を前記貫通開口部またはスリットに向かって偏向させるように配置されたデフレクタ（２３）を前記スロット内に含むことを特徴とする、請求項６に記載のハンガー異形材（６ａ、６ｂ、２４、３２、３４）。
【請求項８】
前記ハンガー異形材が、分離仕切りを支持することを可能にするプレート（２５）を含むことを特徴とする、請求項１〜７のいずれか一項に記載のハンガー異形材（６ａ、６ｂ、２４、３２、３４）。
【請求項９】
互いに固定された２つの別個の部分の連携によって形成され、前記第１の部分が、前記締結ウィングを前記ブランチの一方が形成する異形材を形成し、前記第２の部分が、前記第１の部分に取り付けるための手段と、キャンバスを吊り下げるための少なくとも１つの手段とを備えた異形材を形成することを特徴とする、請求項１〜８のいずれか一項に記載のハンガー異形材（６ａ、６ｂ、２４、３２、３４）。
【請求項１０】
前記取り付け手段が、前記第１の部分のブランチの末端部を受け入れるための内部溝の形態であり、前記溝が、前記第２の異形材部分の厚さ内に作製されることを特徴とする、請求項９に記載の異形材。
【請求項１１】
空気の通過のための貫通開口部を閉じるための少なくとも１つのカバーを備えることを特徴とする、請求項１〜１０のいずれか一項に記載の異形材。
【請求項１２】
調節対象の部屋内で空気を循環させることを可能にする天井アセンブリであって、下方にプレナム（１４、１６）が取り付けられる、調節対象の前記部屋（１）の上側スラブ（８）と共に画定する、少なくとも１つの膜天井を備え、前記膜天井が、調節対象の前記部屋（１）の壁（４ａ、４ｂ）間を延び、複数のハンガー異形材によって前記壁に固定された少なくとも１つの伸張されたキャンバス（３、３ａ、３ｂ）を備え、前記複数のハンガー異形材の少なくとも１つが、空気が前記プレナム（１４、１６）と調節対象の前記部屋（１）との間を通過することを可能にするために請求項１〜１１のいずれか一項に記載のハンガー異形材（６ａ、６ｂ、２４、３２、３４）である、天井アセンブリ。
【請求項１３】
前記ハンガー異形材（６ａ、６ｂ、２４）の前記ウィングが、前記貫通開口部（１９）と連通し、前記プレナムから出た空気が前記異形材が締結された壁に沿って循環するように配向された、スロット（２２）を画定するように配置されることを特徴とする、請求項１２に記載の天井アセンブリ。
【請求項１４】
前記プレナムが、分離ライニングによって分離された第１の空間および第２の空間を有し、前記空間の一方が、前記室内に空気が入るためのプレナム空間を画定し、他方の空間が、前記部屋から空気が出るためのプレナム空間を画定することを特徴とする、請求項１２または１３に記載の天井アセンブリ。
【請求項１５】
調節対象の部屋（１）に隣接する部屋（２）内に取り付けられた膜天井と、前記隣接する部屋の上側スラブによって範囲を定められたプレナム（１５）であって、調節対象の前記部屋の前記プレナム（１４、１６）から、２つのプレナム間の流体連通を可能にする少なくとも１つの導管によって横切られる仕切りによって分離される、プレナムを備えることを特徴とする、請求項１２〜１４のいずれか一項に記載の天井アセンブリ。
【請求項１６】
調節対象の前記部屋の前記プレナムに、少なくとも入口において、流体的に連結された換気および／または空調システムを備えることを特徴とする、請求項１２〜１５のいずれか一項に記載の天井アセンブリ。
【請求項１７】
前記空調システムが、前記隣接する部屋の前記プレナム内に収容されることを特徴とする、請求項１５に従属する場合の請求項１６に記載の天井アセンブリ。
【発明の詳細な説明】
【技術分野】
【０００１】
[0001]本発明は、つり天井の分野に関し、特に膜天井の分野に関する。
【０００２】
[0002]本発明は、より詳細には、天井内で空気を循環させることを可能にする、室内に膜天井を実装するためのキャンバスを吊るすための異形材に関する。
【０００３】
[0003]循環された空気は、換気および／または空調システム（暖房、冷房、除湿、加湿）からやって来ることができる。
【背景技術】
【０００４】
[0004]空気が部屋を通過して調節されることを可能にするつり天井の例が知られている。特に、つり天井のハンガー異形材を、一定の間隔で固定されたブラケットまたはスペーサによって離間させ、それによって周辺空間を生成することを可能にする、つり天井固定システムが存在する。例えば、特許出願の仏国特許第２８１５１１２号明細書を引用することができる。
【０００５】
[0005]しかし、従来技術のシステムまたは異形材は、部屋の周辺における空気の拡散を正確に制御することを可能にしない。さらに、これらは、一般的に使用され、部屋の美観に有害である空気入口グリルを避けることはできない。
【０００６】
[0006]他方で、仏国特許第２６１９５３１号明細書は、キャンバスを吊り下げるための変形不可能なフックを係止する貫通式の可撓性ブレードによって中央コアが閉じられる、キャンバスハンガー異形材を説明しており、可撓性ブレードは、壁に固定するための固定ウィングの反対側にいくつかの穿孔も有している。これらの穿孔は、異形材を壁に固定するためのねじの幅よりも小さい幅および比較的限られた長さを有するセグメントの形態であり、それと同時に互いに離間しており、プレナムと部屋との間の空気の容易な循環を可能にしない。特にその理由は、異形材の中央のコアは、キャンバスのフックを保持している柔軟なブレードによってほぼ完全にブロックされているためである。
【０００７】
[0007]国際出願の国際公開第０２／０６６０４号パンフレットも、キャンバスのハンガー異形材を説明しており、壁およびキャンバスの両側の固定ウィングは、キャンバスの上方を空気が循環することを可能にする穿孔を有するが、その中央コアは、変形不可能なフックの通過およびブロックのために可撓性ブレードによって閉じられており、これはまた、壁と固定側との間の空間も閉じて、キャンバスによって互いから分離されたプレナムと部屋との間のいかなる空気の循環も防止する。
【発明の概要】
【０００８】
[0008]本発明は、室内での新鮮なおよび／または空調された空気の循環を可能にする天井アセンブリの簡単かつ迅速な取り付けのためのハンガー異形材を提案することによってこれらの問題を解決することを目的とする。
【０００９】
[0009]本発明はまた、部屋の周辺における空気の拡散を正確に制御するための天井アセンブリを提案することを目的とする。
【００１０】
[0010]本発明はまた、対象となる部屋内の空気の循環を確保しながら、あらゆる装置、特にグリルが見えることを回避する天井アセンブリであって、空気の循環は、対象となる部屋の空調または換気に関連付けられる、天井アセンブリを提案することを目的とする。
【００１１】
[0011]この目的のために、そして第１の態様によれば、本発明は、調節対象の部屋に膜天井を実装するためのキャンバス用のハンガー異形材であって、連結側によって一緒に連結された少なくとも２つのウィングを備え、ウィングの一方が、調節対象の部屋の壁上にハンガー異形材を固定することを可能にするように配置される、ハンガー異形材において、前記異形材が、前記異形材を通る空気の通過を可能にする少なくとも１つの開口部を備えることを特徴とする、ハンガー異形材を提案する。
【００１２】
[0012]別の態様によれば、異形材の第２のウィングには、キャンバスに対するフックの係止端部が設けられ、連結側部およびハンガーウィングは一緒になって、異形材を通り、一方ではハンガーウィングのフックの係止端部によって境界付けられた妨げられない空気流スロットを画定するように配置され、異形材は、少なくとも１つの開口部を含み、空気が前記異形材を通ってスロットからまたはスロットの方向に通過することを可能にする。
【００１３】
[0013]好適には、他方では、空気通過スロットは、壁または異形材固定ウィングによって範囲を定められる。
【００１４】
[0014]したがって、本発明による異形材の構成は、壁の全長に沿って、プレナムと部屋との間に開放空気通路スロットを画定することを可能にし、上記で述べた従来技術とは異なり、空気の通過をいかなる形でも妨害せずまたは妨げない。互いから１ｃｍ未満の間隔で数平方センチメートル（例えば４ｃｍ2）の開放表面積をそれぞれ表すことができる、本発明による異形材のハンガーウィングおよび／または連結側に予定される開口部は、本発明による異形材１メートルに対して、数百平方センチメートルの累積開口面積を形成することができ、それにより最大の空気循環をもたらす。                    
【００１５】
[0015]加えて、本発明による異形材上には、傾斜したハンガーウィング上、および部屋とプレナムとの間を水平方向に延びる連結側に開口部が設けられており、それによって部屋とプレナムとの間の空気循環を容易にする。
【００１６】
[0016]好適には、キャンバス用のハンガーウィングであるウィングの一方は、ハンガー異形材の固定ウィングまたはハンガー異形材が固定された壁に向かって収束する。特定の構成によれば、キャンバス用のハンガーウィングは、他方のウィングに対して９０度未満、好ましくは３０度から５０度の間の角度を有するように配置される。
【００１７】
[0017]好適には、通路開口部は、キャンバス用のハンガーウィング上または連結側に設けられる。代替の設計によれば、キャンバス固定ウィングおよび連結側の両方が、少なくとも１つの貫通開口部を有することも可能であり得る。
【００１８】
[0018]ハンガー異形材のそのような配置（キャンバスハンガーウィング上および／またはハンガー異形材に向かって収束する連結側の貫通開口部の位置決め）の利点は、膜天井が所定の場所にあるときに、スラブに向かって開口する貫通開口部が部屋から見えないことである。
【００１９】
[0019]好適には、キャンバスフックウィングには、分離壁を支持することを可能にするプレートが設けられる。
【００２０】
[0020]好適には、ウィングは、貫通開口部と連通するスロットを画定するように配置され、前記スロットは、壁上の異形材の固定ウィングによって、またはハンガー異形材が前記壁上およびキャンバスフックウィング上に固定されるときは壁自体によって範囲が定められる。
【００２１】
[0021]好適には、ハンガー異形材は、空気がスロットを通ってまたは開口部を通って入るときに異形材を通る空気流を貫通開口部またはスロットに向かって偏向させるように配置された、スロット内に設けられたデフレクタを有する。
【００２２】
[0022]理想的には、本発明による異形材は、互いに接合された２つの別個の部分の連携によって形成され、第１の部分は、一方のブランチが締結ウィングを形成する異形材を形成し、第２の部分は、第１の部分を接合するための手段と、キャンバスを締結するための少なくとも１つの手段とを備えた異形材を形成する。
【００２３】
[0023]この場合、締結手段は、異形材の第２の部分の厚さに設けられた、異形材の第１の部分のブランチの端部を受けるための内部溝の形態である。
【００２４】
[0024]好適には、本発明による異形材構造の変形形態の一方または他方は、空気が通過することができる開口部を閉じるための少なくとも１つのカバーを備えることができる。これらのカバーは、例えば壁のその位置に配置された美術品のような装飾的要素を保護するために、この位置での空気の循環を制限するために異形材の特定の開口部上に配置できるインサートである。
【００２５】
[0025]実施形態の非限定的な例の詳細な説明を読むと容易に理解されるように、本発明によるハンガー異形材は、以下の利点を有する。
空気の吹き込みと引き出しを同時に可能にする。
従来技術のシステムのエアグリルから解放される。
室内の空気の拡散を制御する。
周辺スロットの上に配置されるものが見えない。
膜天井の簡単な取り付けを可能にする。
換気と空調（暖房、冷房、除湿、加湿）のための任意の機器の関連付けを可能にする。
【００２６】
[0026]本発明はまた、調節対象の部屋内で空気を循環させることを可能にする天井アセンブリであって、下方にプレナムが取り付けられる、調節対象の部屋の上側タイルと共に画定される少なくとも膜天井を含み、膜天井は、調節対象の部屋１の壁間を延び、複数のハンガー異形材によってこれらに固定された少なくとも１つの伸張されたキャンバスを備え、複数のハンガー異形材の少なくとも１つは、空気がプレナムと部屋との間を通過することを可能にするための、上記で説明したようなハンガー異形材である、天井アセンブに関する。
【００２７】
[0027]好適には、ハンガー異形材のウィングは、貫通開口部と連通し、かつ前記異形材が締結される壁に沿ってプレナムから空気が流出するように配向された、スロットを画定するように配置される。空気の通過を可能にするハンガー異形材を備えた垂直壁に沿って吹き込まれる空気は、壁を温めることを可能にし、したがってこれらの壁と周囲空気との間の温度差を低減する。
【００２８】
[0028]好適には、プレナムは、仕切りライニングによって分離された第１および第２の空間を有し、一方の空間は、室内に入る空気のためのプレナム空間を画定し、他方の空間は、室内から出る空気のためのプレナム空間を画定する。
【００２９】
[0029]好適には、天井アセンブリは、調節対象の部屋に隣接する部屋に取り付けられた張り天井および隣接する部屋の上側スラブによって範囲が定められたプレナムであって、調節対象の部屋のプレナムから、２つのプレナムの間の流体連通を可能にする少なくとも１つのダクトによって横切られる仕切りによって分離される、プレナムを含む。
【００３０】
[0030]好適には、天井アセンブリは、少なくとも入口側において、調節対象の部屋のプレナムに流体的に連結された、換気システムおよび／または空調システムが備えられる。
【００３１】
[0031]好適には、空調システムは、隣接する部屋のプレナム内に収容される。
【００３２】
[0032]本発明による天井アセンブリおよびハンガー異形材は、第１の構成によって、同じ部屋内の、したがって同じ容積内の空気の吹き込みおよび吸引、ならびに第２の構成によって、調節対象の部屋内の空気の吹き込み（換気および／または空調）および隣接する部屋内の空気の吸引を実施する可能性を提供する。
【００３３】
[0033]空気の吹き込みおよび吸引が同じ部屋で実施される場合、上側スラブと膜天井との間のプレナムは、好適には、２つの別々の容積部に分離され、互いから密封される。この分離は、２つの方法で達成することができる：垂直隔壁上に支持された「従来の」分離異形材によるもの。膜天井にはこのとき分離異形材のレベルに「セパレータ」が備えられることになる。またはハンガー異形材の特別な異形材（垂直分離壁を固定するためのプレート付き異形材）によるもの。後者の場合、膜天井にセパレータを設置する必要はない。
【００３４】
[0034]したがって、本発明による天井アセンブリおよびハンガー異形材は、以下の３つの場合に対処することを可能にする：
隣接する部屋に空気取り入口がある、空調されたおよび／または換気された部屋、
同じ部屋内に空気の吹き込みおよび吸引があり、膜天井のレベルにセパレータを実装する空調されたおよび／または換気された部屋、
同じ部屋内に空気の吹き込みおよび吸引があり、特別な吸引異形材を使用する空調されたおよび／または換気された部屋。
【００３５】
[0035]本発明によるハンガー異形材を用いてこのようにして作られた天井アセンブリは、空気の吹き込みまたは吸引グリルなしで行うことを可能にし、それによって部屋の美観が改善される。
【００３６】
[0036]さらに、暖房または空調のシステムの使用中に、パワーの一部は天井からの放射（高温または低温）によって伝達され、残りは異形材を通って吹き込む空気の流れによって（部屋の周辺で）伝達され、このようにして居住者にとって優れた熱的快適性を生じさせる。
【００３７】
[0037]本発明の他の目的および利点は、添付の図面を参照して以下の説明で明らかになるであろう。
【図面の簡単な説明】
【００３８】
【図１】本発明の第１の実施形態による天井アセンブリの概略図である。
【図２】図１の締結アセンブリに実装された本発明の第１の実施形態による締結異形材の斜視図である。
【図３】図２からのハンガー異形材を使用する天井アセンブリの実施形態を表す図である。
【図４】図２からのハンガー異形材を使用する天井アセンブリの別の実施形態を表す図である。
【図５】図２からのハンガー異形材を使用する天井アセンブリの別の実施形態を表す図である。
【図６】図２からのハンガー異形材を使用する天井アセンブリの別の実施形態を表す図である。
【図７】図２からのハンガー異形材を使用する天井アセンブリの別の実施形態を表す図である。
【図８】本発明の第２の実施形態によるハンガー異形材の斜視図である。
【図９】本発明の別の実施形態によるハンガー異形材の斜視図である。
【図１０】図９のハンガー異形材を使用する天井アセンブリの実施形態を表す図である。
【図１１】図９のハンガー異形材を使用する天井アセンブリの別の実施形態を表す図である。
【図１２】図９のハンガー異形材を使用する天井アセンブリの別の実施形態を表す図である。
【図１３】保護メッシュが設けられた図９からのハンガー異形材を示す図である。
【図１４】フィルタが設けられたハンガー異形材の斜視図である。
【図１５】別の実施形態によるハンガー異形材の斜視図である。
【図１６】本発明による別のハンガー異形材を使用する天井アセンブリの概略図である。
【図１７】図１６の天井アセンブリに実装されたハンガー異形材の斜視図である。
【図１８】壁に取り付けられ、２つのキャンバスを支持する、第１の実施形態による２つの部分から構成されたハンガー異形材の概略断面図である。
【図１９】壁に取り付けられ、キャンバスを支持し、機能要素を固定するための内部ブラケットを備えた、第２の実施形態による２部分構成のハンガー異形材の概略断面図である。
【図２０ａ】本発明によるハンガー異形材の開口部用のカバーの第１の実施形態を表す上面図である。
【図２０ｂ】本発明によるハンガー異形材の開口部用のカバーの第１の実施形態を表す底面図である。
【図２０ｃ】本発明によるハンガー異形材の開口部用のカバーの第１の実施形態を表す前面の４分の３の斜視図である。
【図２０ｄ】本発明によるハンガー異形材の開口部用のカバーの第１の実施形態を表す側面図である。
【図２１ａ】本発明によるハンガー異形材の開口部用のカバーの第２の実施形態を表す上面図である。
【図２１ｂ】本発明によるハンガー異形材の開口部用のカバーの第２の実施形態を表す底面図である。
【図２１ｃ】本発明によるハンガー異形材の開口部用のカバーの第２の実施形態を表す前面の４分の３の斜視図である。
【図２１ｄ】本発明によるハンガー異形材の開口部用のカバーの第２の実施形態を表す側面図である。
【図２２】図１９のハンガー異形材の代替実施形態を表す図である。
【発明を実施するための形態】
【００３９】
[0038]より明確にするために、異なる実施形態の同一または類似の要素は、全ての図において同一の参照符号によって示されている。
【００４０】
[0039]図１は、調節対象の部屋１内に空気が流れることを可能にする天井アセンブリの概略図を示す。「調節対象の部屋」とは、新鮮空気を受け取ることを意図しているか、または使用されるシステムに従って調節されることを意図した部屋を意味する（図１に示す換気システムまたは空調システム）。
【００４１】
[0040]図示する実施形態では、天井アセンブリは、調整される部屋１の内部に膜天井（またはつり天井）を使用し、膜天井は、調節対象の部屋１の壁４ａ、４ｂの間を延びる伸張されたキャンバス３によって形成され、複数のハンガー異形材を介してこれらの壁に固定され、上側スラブ８と共に、分離異形材２７を有するライニング１１によって密封式に分離されたプレナム１４およびプレナム１６の範囲を定める。
【００４２】
[0041]空気が部屋の中を循環することを可能にするために、部屋の壁のうちの２つには、空気がプレナム１４および１６と、調節対象の部屋１との間を通ることを可能にするように配置されたハンガー異形材が設けられる。それらが新鮮空気の通過または空気の吸引のどちらを可能にするかに応じて、本発明者は、吹き込み異形材６ａおよび吸引異形材６ｂについて述べる。ただし、これらの異形材は同一のものである。吹き込み／吸引異形材の例を以下に説明する。
【００４３】
[0042]図１に示すように、吸引異形材６ｂは、吹き込み異形材６ａが設けられた壁の反対側の壁に取り付けられる。これは、調節対象の部屋１の最適な空気掃引を得るという利点を有する。
【００４４】
[0043]天井アセンブリはまた、２つの空間を画定するためにプレナム１４内に配置された垂直分離ライニング１１を備え、空間の一方は、部屋に空気が入るためのプレナム空間を画定し、他方は、部屋から空気が出るためのプレナム空間を画定する。以下では、吹き込みプレナム１４は新鮮空気を受け取るものであり、吸引プレナム１６は、調節対象の部屋（１）から吸い込まれた空気を受け取るものである。
【００４５】
[0044]２つの空間の間の分離を確実にするために、分離ライニング１１は、分離ライニング１１の下部分によって、図１に示すように膜天井を接合する分離異形材２７に取り付けられている。そのような分離異形材はそれ自体公知である。
【００４６】
[0045]吹き込みプレナム１４は、新鮮空気を吹き込むための空気ダクト１７を備え、前記ダクトは、吹き込みプレナムの範囲を定める上側スラブ８の部分を通過する。同様に、吸引プレナム１６は、空気の吸気のための空気ダクト１８を備え、前記ダクトは、吸引プレナムの範囲を定める上側スラブの部分を通過する。
【００４７】
[0046]図２は、調節対象の部屋１と関連するプレナム１４および１６との間の空気の通過を可能にし、図１の天井アセンブリ内に実装される吹き込み異形材および吸引異形材６ａ、６ｂの実施形態の例を示す。
【００４８】
[0047]吹き込み異形材および吸引異形材６ａ、６ｂは、水平連結ライニング６２によって互いに連結された第１の垂直ウィング６０および第２の垂直ウィング６１を有する。
【００４９】
[0048]第１のウィングは、異形材を壁に締結することを可能にする締結ウィング６０を画定する。これを行うために、締結ウィングは、ねじ、リベット、または同様のものなどの締結手段を通すための穴２１を有する。図示する実施形態では、締結ウィング６０は、連結ライニングから（すなわち上方に）延びる。締結ウィング６０は、締結ウィング６０の下側部分において第３の垂直ウィング６３によって延長される。
【００５０】
[0049]第２のウィングは、キャンバスを引っ掛けることを可能にするハンガーウィング６１を画定する。ハンガーウィングは、第３のウィングに向かって収束する。好適には、ハンガーウィングは、第３のウィングに対して、３０から５０度、好ましくは４５度の角度を有する。図２によれば、このハンガーウィング６１は、壁に向けられた内壁に、キャンバスフック５０のためのハンガー手段３０を有し、このハンガー手段は、これがそれに沿って通る壁から距離をあけてキャンバスフックを置いて空気が通過するためのスロットを画定するように構成される。このように、ハンガー手段３０は、キャンバスフックをハンガー壁６１の下縁に沿って置き、フックと壁（または第３の垂直ウィング６３）との間に空隙を残す。例えば、フックをハンガー手段３０から分離する距離は、０．５から５ｃｍの間、好ましくは１．５から３ｃｍの間、さらに好ましくは約２ｃｍとすることができる。理想的には、図示する例に関して、キャンバスフックは、弾性的に変形可能とすることができ、ハンガー手段３０は、Ｃ字形フックの形状を有することができ、ハンガーライニング６１の内側に向かって湾曲されてこの内側と共に、弾性的に変形されたフックのための溝付き通路を形成してひずみのない構成のフック受け入れ溝および溝内のフック係止縁をもたらし、さらに、ハンガーライニング６１によって壁４ａから距離を保って空気が通り抜けることを可能にする。
【００５１】
[0050]したがって、図示するように、ハンガーウィングは、第３のウィングと共に、壁に締結されたウィングと略平行な開口部軸線を有する貫通開口部２２ａを有するスロット２２を画定する。これにより、吹き込み異形材が固定されている壁に沿った部屋の入口および部屋の出口（したがってプレナムの入口）での空気の供給と、吸引異形材を支持する壁に対して略接線方向の軌道を伴った空気の吸引とを確実にすることが可能である。スロットは、締結ウィングの開口部によって、プレナムと部屋との間の空気の通過を可能にする。
【００５２】
[0051]吹き込み異形材６ａおよび吸引異形材６ｂは、空気がプレナムと部屋との間を通過するための貫通開口部１９を有する。図示する実施形態では、開口部は、ハンガーウィングに沿って整列した矩形窓である。これは、当然ながら、実施形態の一例であり、開口部は、他の形態を呈することができ、および／または異なる方法で配置することができる。さらに、開口部の数は可変であり、単一の開口部または複数の開口部を設けることができる。開口部がなくてもよく、そのように構成された異形材は、膜天井を吊るすための「従来の」異形材７となる。
【００５３】
[0052]好適には、ハンガー異形材６ａ、６ｂは、異なる口径で利用可能であり、これらの口径は、異形材の下側部分内に位置するスロット２２の異なる幅、したがって開口部２２ａの異なるセクションを提供する。したがって、異なる口径の吹き込み異形材を使用することにより、これらの異形材を備えた壁の周囲に吹き込まれる空気の完全な速度制御が可能になる。空気の速度は、吹き込まれる空気の流量の関数として計算され、部屋の居住者によって知覚されるように非常に弱い空気の速度を尊重しながら垂直壁の底部に到達するように吹き込まれる空気の十分な範囲を得て、それによって最適な快適感を確実にするために決定される。同様に、異なる口径の吸引異形材の使用は、最適な空気掃引を確実にするために吸引速度を制御することも可能にする。
【００５４】
[0053]好適には、吹き込み異形材６ａおよび吸引異形材６ｂは、空気がスロットまたは貫通開口部のどちらを通って入るかに応じて、貫通開口部またはスロットの方向に空気流を偏向させるためのデフレクタ２３（図８）を有する。デフレクタが存在することは、空気流抵抗、したがって異形材の空気圧損失を最小にすることによって空気流を改善するという利点を有する。図８に示す実施形態では、デフレクタは、連結ライニングを第３のウィングに連結する。デフレクタは、任意の形状（直線、曲線など）のものとすることができるが、図８に示すように、最適形状は円弧である。
【００５５】
[0054]新鮮空気は、吹き込みダクトを介して上側スラブを通って吹き込みプレナム内に吹き込まれ、次いで吹き込み異形材を通過する。吹き込み異形材の出口では、スロット２２の向きにより、新鮮空気は異形材を備えた壁に沿って流れる。
【００５６】
[0055]空気は、膜天井に向かって、吸引異形材を備えた壁に対して略接線方向の経路に沿って引き出されてこれを通過する。次いで、吸引された空気は、抽出ダクトを介して吹き込みプレナムから抽出される。
【００５７】
[0056]隣接する部屋２は、膜天井を備えて表される。当然ながら、図３から図７、図１１および図１２に示される天井アセンブリとは異なって、これが天井を備えず、隣接する部屋が調節対象の部屋内の空気の流れに寄与しない可能性があることも明らかである。
【００５８】
[0057]図３は、新鮮空気が調節対象の部屋１に吹き込まれ、空気吸引が隣接する部屋２において行われる特定の実施形態を表す。
【００５９】
[0058]調節対象の部屋１は、上側スラブと共にプレナムの範囲を定める膜天井３を備えている。膜天井は、部屋の壁４ａ、４ｂからハンガー異形材を介して吊り下がる。図示する実施形態では、壁のうちの１つだけ、例では最も遠い壁（壁４ａ）のみに空気が通過することを可能にする異形材が備えられ、残りの壁には、従来の（すなわち空気を通過させるように配置されない）吊り下げ異形材７が備えられ、これらの異形材７を、ウィング６１上の空気の通過のための開口部１９を備えない異形材６ａ  ／  ６ｂを使用して作製することもできる。図示する例では、異形材は吹き込み異形材６ａである。
【００６０】
[0059]同様に、隣接する部屋２には、上側スラブと共にプレナム１５の範囲を定める膜天井５が備えられる。膜天井は、ハンガー異形材を介して隣接する部屋の壁に吊り下げられており、ハンガー異形材のうちの少なくとも１つは、吸引異形材６ｂである。全ての壁に６ｂの吸引異形材が備えられていない場合、残りの壁は、膜天井を吊るすための従来の異形材７を備えることができる。図示する例では、１つの壁、ここでは調節対象の部屋から最も遠い壁（壁４ｃ）のみに吸引異形材が備えられている。
【００６１】
[0060]調節対象の部屋１のプレナム１４は、吹き込みプレナムを形成し、隣接する部屋２のプレナム１５は吸引プレナムを形成する。
【００６２】
[0061]図示する実施形態では、吸引された空気は、２つの部屋の間の既存のまたは作りだされた間隙、例えば２つの部屋を分離するドア４の下の空隙を介して空調された部屋１の容積と隣接部屋２の容積との間を通過する。次に、吸い込まれた空気は、吸引異形材６ｂを設置することによって生成された周辺吸引スロット２２を通ってプレナム１５に合流する。
【００６３】
[0062]吸い込まれた空気は、次いで、隣接する部屋のプレナムから上側スラブを通って空気ダクト１８を介して隣接する部屋のプレナムから抽出される。
【００６４】
[0063]図４は、循環空気が、調節対象の部屋１に隣接する部屋に配置された空調設備１２からの調節された空気である別の実施形態を表す。
【００６５】
[0064]天井アセンブリは、図３の天井アセンブリの配置に従っており、そこでは、新鮮空気の入口ダクトおよび排気ダクトは、それぞれ、空調設備の出口に連結された吹き込み空気ダクト９および空調設備の入口に連結された吸引空気ダクト１０によって置き換えられており、ダクトは、調節対象の部屋のプレナムを隣接する部屋のプレナムから分離する壁を貫通している。前述のように、調節対象の部屋のプレナムは吹き込みプレナムを形成し、隣接する部屋のプレナムは吸引プレナムを形成する。
【００６６】
[0065]調節された空気は、調節対象の部屋のプレナムに、空調設備によって吹き込みダクトを介して吹き込まれ、吹き込み異形材を通過して、異形材を備えた壁に沿って通る。吸引された空気は、空調された部屋１の容積と隣接する部屋２の容積との間を、２つの部屋の間の間隙を介して通過する。次いで、吸引された空気は、吸引異形材６によって生成された周辺吸引スロット２２を通って隣接する部屋のプレナム１５に到達し、そこで吸引空気ダクト１０を介して空調機器に到達する。
【００６７】
[0066]しかし、一部の場合、吸い込まれた空気の流れを伝達するために、調節対象の部屋１と隣接する部屋２との間に十分な間隙を形成することは不可能である。これは、例えば防音を提供しなければならない施設において当てはまり得る。図５に示す天井アセンブリは、この制約を克服するのに役立つ。実装された天井アセンブリは、図１の天井アセンブリと同様の構成を有する。これもまた、調節対象の部屋の吸引プレナムと、空調設備が中に設置される隣接する部屋のプレナムとを分離する仕切りを通過する吸引空気ダクト１５と、２つの部屋を分離する仕切りおよび調節対象の部屋の吸引プレナムと吹き込みプレナムを分離する分離ライニング１１を通る吹き込み空気ダクト９とを含む。この場合、隣接する部屋には、従来のハンガー異形材７（すなわち、空気を通すようには配置されていない）を介して隣接する部屋の壁に締結された膜天井５が備えられる。
【００６８】
[0067]図１の天井アセンブリのように、吸い込まれた空気は、関連する吸引異形材６を設置することによって生成された周辺吸引スロット２２を通って吸引プレナム１６に到達する。吸い込まれた空気は、次いで、吸引空気ダクト１０によって任意の空調設備に到達する。その後、調節された空気は、吹き込みダクト９を介して再循環される。
【００６９】
[0068]吸引空気ダクト１０および吹き込み空気ダクト９を、隣接する部屋および関連するプレナム（図６）と連通する抽出／排気ダクト１８および新鮮空気入口ダクト１７それぞれに連結して、調節対象の部屋１の空調および換気の両方を実行することも可能になり得る。
【００７０】
[0069]このようにして作られた天井アセンブリは、隣接する部屋２に対して非常に密室（例えば音響的な理由で）を調節することを可能にする。
【００７１】
[0070]図９は、本発明によるハンガー異形材の代替の実施形態を示す。この代替実施形態では、ハンガー異形材２４は、貫通開口部の下を第３のウィングとは反対方向に延びる水平プレート２５を有することを除いて、図２の異形材と同じ形状を有する。プレートの機能は、図１０から図１２に示すように、膜天井に目に見えるセパレータを設置する必要なしに垂直仕切りライニングを支えることである。これにより、室内の空気の循環を確保しながら、膜天井の美的外観を向上させる。
【００７２】
[0071]図１０から図１２に示すように、吸引異形材２４は、吹き込み異形材を支承する壁とは反対側の壁に締結される。これは、調節対象の部屋１の最適な空気掃引を得るという利点を有する。
【００７３】
[0072]プレート２５には、プレート２５の末端に、垂直分離ライニングの締結を可能にする上向き要素、または任意の要素を設けることができることが有効である。
【００７４】
[0073]好適には、吹き込み異形材および吸引異形材６ａ、６ｂ、２４は、それらを覆うために開口部１９の上に配置されたメッシュを備えることができる。したがって、メッシュの存在は、不純物または昆虫が上側スラブと膜天井との間に位置するプレナム１４、１５、１６に接近するのを妨げる。例えば、吸引異形材および吹き込み異形材２４は、そのようなフィルタ２６と共に示されている（図１３）。
【００７５】
[0074]特定の代替実施形態によれば、吸引を意図した異形材６ｂ、２４にフィルタを設けることができる。このフィルタは、次いで、システムに連結されている換気および／または空調機器内に存在するフィルタと置き換わることができる。好適には、フィルタは、フィルタの交換または清掃を可能にするために取り外すことができる。図１４は、そのようなフィルタを異形材２４のタイプの吸引異形材に組み込む可能性を示す。図示する実施形態では、フィルタ２８は、ハンガーウィング６１の内面に対して保持され、キャンバスハンガー溝２０の範囲を定める止め具２０ｂ上に設置され、連結ライニング６２の内面によって支持された長手方向ストリップ２８によって保持される。「内面」とは、スロット２２の方を向く面を意味する。
【００７６】
[0075]ハンガー異形材が上述のものに限定されず、他の構成が本発明から逸脱することなく提供され得ることは当然ながら明らかである。特に、第３のウィングのない異形材が設けられてもよい。この場合、スロットは、キャンバスハンガーウィングと、異形材が締結されている壁によって範囲が定められる。同様に、第３のウィングは、締結ウィングであり得る。
【００７７】
[0076]同様に、これまで説明した実施形態では、貫通開口部１９は、キャンバス締結ウィング６１によって支持される。別の実施形態によれば、貫通開口部１９は、締結ウィング内ではなく、連結ライニング６２内に設けられてもよい。例えば、図９内の異形材は、貫通開口部１９（図１５）のそのような位置決めと共に示されている。
【００７８】
[0077]天井アセンブリは、あらゆる空調技術および／または換気技術と互換性がある。空調および／または換気設備は、調節対象の部屋１の上方に位置するプレナム１４内、調節対象の部屋１に隣接する任意の部屋のプレナム１５内、さらに建物の任意の他の場所にも置くことができる。一般的な方法では、特に機械の操作による音響上の不都合を回避するために、調節対象の部屋１の容積の外側に機器を設置することが好ましい。
【００７９】
[0078]部屋の空調および／または換気の可能性にかかわらず、本発明は、任意のタイプの膜天井（従来の、防音など）の実装を可能にし、膜天井に適合する任意のプロセス、例えばバックライトシステム、サウンドシステムなどの使用を可能にする。加えて、ＬＥＤストリップライトシステムをウィング６１と連結ライニング６２との間のコーナに設置することができ、それによりＬＥＤストリップを見せることなく部屋の周辺照明をもたらすことができる。
【００８０】
[0079]通常、調節対象の部屋内で、少なくとも１つの壁には、吹き込み異形材が備えられている。吹き込み異形材６を備えた壁を選択すること、したがって調節された空気および／または新鮮空気がそれに沿って吹き込まれる壁を選択することが可能である。他の壁は、膜天井を吊るすための従来の異形材７を備えることができる。この選択は、部屋の熱的快適性を最適化することを可能にする。特に、例えば、冬の間は周囲の空気よりも一般的に冷たく、夏の間は周囲の空気よりも暖かい空気を部屋の外壁に沿って吹き込むことが選択される。
【００８１】
[0080]図１６は、天井アセンブリの別の実施形態を示し、後者は、上側スラブ８上に固定された照明手段４０を備える。
【００８２】
[0081]ここに示す天井アセンブリは、調節対象の部屋の壁４ａ、４ｂの間に延びる２つの伸張されたキャンバス３ａ、３ｂによって形成された膜天井である。互いに平行に配置された前記キャンバス３ａ、３ｂは、一方が吹き込み異形材３２を構成し、他方が吸引異形材３４を構成する２つのハンガー異形材３２、３４によって壁に締結される。吹き込み異形材３２の拡大図を図１７に示す。
【００８３】
[0082]これまで説明したハンガー異形材の実施形態のように、吹き込み異形材３２は、連結ライニング６２によってキャンバス締結ウィング６１に連結された締結ウィング６０を含む。図１７に示すように、前記ウィング６０、６１は、吹き込み異形材３２が壁４ａに締結されたときに、締結ウィング６１が、連結ライニングが壁４ａに向かって収束する角度を形成するように配置される。締結ウィング６１は、前記キャンバス３ａ、３ｂ用の２つのハンガー溝２０ａ、２０ｂを含む。溝の一方は、異形材の内側に開口部を有する締結ウィング６１の上部に設けられ、他方の溝は締結ウィング６１の底部に設けられる。上側の伸張されたキャンバス３ｂの上方に配置されたプレナム１４間の空気の通過のための貫通開口部１９は、連結ライニング６２によって支持される。
【００８４】
[0083]吹き込み異形材３２はまた、締結ウィング６０と平行に、締結ウィング６１とは反対方向に連結ライニング６２から延びる垂直ウィング６４を有する。図示する実施形態では、垂直ウィング６４は、連結ライニング６２の末端に設けられる。この垂直ウィング６４の機能は、貫通開口部１９および貫通スロット２２を介した照明手段４０からの光の拡散を防ぐことである。以下では、これをブロッキングウィング６４（またはシールド形成ウィング）と呼ぶ。
【００８５】
[0084]キャンバス上のいかなる影も避けるために、天井アセンブリは、図１６に示すように、ハンガー異形材３２の近傍の、部屋の上側スラブ８に締結された実質的にＶ字形の異形材３６を有する。特に、異形材３６は、空気が新鮮空気供給ダクト１７から通過することを可能にするのに十分な空間をブロッキングウィング６４と異形材３６との間に残すようにハンガー異形材３２に対して配置されている。
【００８６】
[0085]図示する実施形態では、ハンガー異形材３２および異形材３６は、２つの別々の独立した部材である。しかし、これら２つの異形材は、代替実施形態によれば、単一の部材を形成することができる。この場合、ブロッキングウィング６４もまた、連結ライニング６２のように、空気循環を可能にするための貫通開口部を含む。
【００８７】
[0086]吸引異形材３４は、これがブロッキングウィングを有さないことを除いて、吹き込み異形材３２の全ての特徴を有する。図１６に示す天井アセンブリでは、部屋の吹き込みプレナム１４と吸引プレナム１６の分離ライニング１１によって、光の拡散が阻止されている。明らかに、本発明の範囲から逸脱することなく、吹き込み異形材４２と同一の吸引異形材３４を設けることもできる。
【００８８】
[0087]天井アセンブリのプレナム１４内に設けられた照明手段４０を補完するものとして、またはそれに代えて、照明手段を、本発明によるハンガー異形材の上部に、好ましくは壁４ａ、４ｂを向くブロッキングウィング６４の側に固定して、部屋またはフレームの周辺に照明を提供することができる。この場合、ブロッキングウィング６４を有する吸引異形材３４が設けられることが好ましい。
【００８９】
[0088]図示しない特定の実施形態によれば、効率的な音声伝送を確実にするために拡声器または他の音声放送機器を貫通開口部１９の近傍に配置することも可能であり得る。
【００９０】
[0089]図１８および図１９に示す別の有利な実施形態によれば、吹き込み異形材および吸引異形材６ａ、６ｂは、互いに固定される２つの独立した部分７０、７１とすることができる。
【００９１】
[0090]図示する例では、第１の異形材部分７０は、締結ウィング６０および部分的な水平連結ライニング６２であり、第２の異形材部分７１は、水平連結ライニング６２の残りおよび傾斜ハンガーウィング６１である。
【００９２】
[0091]異形材７０の第１の部分は、特に単純な形、すなわち、垂直ブランチが締結ウィング６０を構成し、水平方向ブランチ７３が水平方向の連結ライニング６２の一部を構成するＬ字形断面を有する長手方向異形材で画定される。
【００９３】
[0092]空気循環の目的のために、Ｌ字形異形材の水平ブランチには空気を通過させるための開口部１９が設けられる。
【００９４】
[0093]異形材７１の第２の部分は、さらに少し複雑であり、長いベース７４、短いベース７７、およびこれらの間に介在して傾斜した締結ウィング６１を形成する側面７５、水平連結ライニング６２の残りの水平部分である反対側の７６を含む、台形断面を有する長手方向異形材の一般的な形態を示す。
【００９５】
[0094]より正確には、図１８に見られるように、第２の異形材は、第１の異形材部７０のＬの水平ブランチ７３の端部を受けるための長手方向溝７８を含む。第２の異形材の上側の横方向側の厚さを通過する、ねじのような取り付けられたブロッキング手段が設けられて、Ｌ字の水平ブランチの端部の上面に形成されたオリフィス７９と係合してこれをブロックすることができる。マーク８０を第２の異形材部分の上側の横方向側７６の外面に設けて、ねじまたは他のブロッキング手段をオリフィス７９に挿入する前にオリフィス７９の向かい側に正しく配置することができる。
【００９６】
[0095]異形材７１のこの第２の部分は、垂直である形材７１のこの第２の部分の横方向側７５の外面上に、前述のフック３０を備え、このフックは、弾性的に変形可能なフック５０の変形構成で通過を、次いで弾性的に変形可能なフック５０の静止構成でブロッキングを可能にして伸張された主キャンバス３ａを締結することを可能にする。
【００９７】
[0096]好適には、異形材７１のこの第２の部分は、図１８に示すように、二次の伸張されたキャンバス３ｂの弾性的に変形可能なフックを締結する第２の手段を含むことができる。この第２の締結手段８１は、長手方向溝の形態で設けられ、この長手方向溝は、例えば、第２のキャンバスの少なくとも１つのフック保持縁（図では２つ）によって部分的に閉じられ、この第２の異形材部分の長いベース７４の外面から、例えば第１の異形材部分の端部の受け入れ溝７８のすぐ下方に形成される。
【００９８】
[0097]この第２のキャンバス３ｂは、ほこりおよび／または昆虫によって引き起こされた堆積物を集めて保持する機能を果たすことができ、それによってほこりおよび／または昆虫が下にある主キャンバスから距離をおいたままにし、例えばキャンバスが半透明で設けられたときにこれを通して部屋から見えないままにする。
【００９９】
[0098]異形材の第２の部分は、この第２異形材部分の厚さ内に配置された異なる凹部８２（図１９に特定される）に加えて、２つのフック係止溝を間に備えて、プレナム内に配置された機能要素のためのブラケットまたは固定スリーブ８３を収容することができ、または単に異形材７０のこの第２の部分の構造を軽くしてコストを最適化することができる。ラグ８６が、これらの凹部を形成するライニングから突出して設けられて、それらの空間を仕切って、いくつかのブラケットを収容するか、またはそれらをそれぞれの凹部内でブロックすることができる。
【０１００】
[0099]水平な上側側部と傾斜した長いベースとの間の接合部を形成する第２の異形材７１の末端において、上記で提示したようなブロッキングウィングまたは＜＜シールドウィング＞＞を保持し、締結するために、傾斜溝をこの第２の異形材部分の厚さ内に外面と平行に設けることができる。
【０１０１】
[0100]空気循環の目的のために、空気の通過のための貫通開口部１９を、互いに連通する短いベースおよび長いベースを構成する壁上のこの第２の異形材部分内に設けることができる。
【０１０２】
[0101]これらの開口部は、異形材の第１の部分の開口部と同様に、この目的のために提供され図２０、図２１に示すカバーによって必要に応じて閉じることができる。
【０１０３】
[0102]これらのカバー９０は、平行六面体ブロックの形態であってもよく、カバー９０の一方の上面には、考慮されるカバーが閉じる開口部１９の輪郭に対して当てられるよう意図された横方向縁９１が設けられ、カバー９０の下面には弾性的に変形可能なブレード９２が設けられ、このブレードは、開口部が進むにつれて消え、開口部を画定する輪郭の後ろで係止する。図示する例では、弾性ブレードは、ブロックのコーナを除いて、平行六面体ブロックの横方向側の長さに沿って延びる。
【０１０４】
[0103]必要に応じて２つの異形材部分を端部同士を容易かつ正確に連結するために、各異形材部分７０、７１の外側領域に、余分な厚さまたは長手方向のビードの形態をとる視覚マーク８８を設けることができる。
【０１０５】
[0104]このように画定された２つの部分における吸引異形材または吹き込み異形材の形成は特に賢いものであり、その理由は、第２のより複雑な部分７１を単一の寸法で大量に製造することができ、その一方で極めて単純な第１の部分７０を、特に、必要に応じて調整するために第２の異形材部分に固定されるＬ字ブランチの長さに関して異なる寸法を用いて、利用可能なＬ字異形材、壁とキャンバスの縁との間の所望の間隔、したがってスリットおよび空気循環のサイズを簡単に選択することによって達成することができるためである。
【０１０６】
[0105]結果として、図１９のＬ字形異形材はより長い水平ブランチを有し、これによって、主キャンバス３の縁を、Ｌ字形異形材の水平ブランチが短い図１８の代替の実施形態における主キャンバス３の縁より、壁４ａからより遠い距離に置く。
【０１０７】
[0106]図２２は、図１９の吹き込み異形材および吸引異形材６ａ、６ｂに対する代替実施形態を示す。この代替実施形態では、異形材７１の第２の部分は、図１８および図１９に示すものと同じ特性を有する。一方、異形材７０の第１の部分は、もはやＬ字形の断面を有さず、直角Ｚ字形の断面を有する。より正確には、異形材７０の第１の部分は、垂直ブランチによって互いに連結された２つの水平ブランチからなり、前記水平ブランチは、２つの対向する方向に延びる。６０で示されている上側の水平方向ブランチは、締結ウィングである。これは、ブラケット６０ｂを介して壁４ａに固定される。７３で示される下側水平ブランチは、水平連結ライニング６２の一部を構成する。空気の循環を可能にするために、６０ａの番号が付けられた垂直連結ブランチには、空気を通過させるための貫通開口部１９が設けられる。前と同様に、異形材７０の第１の部分に設けられた開口部は、異形材７１の第２の部分のものと同様に、上記で述べたように、必要に応じてカバーで閉じることができる。
【０１０８】
[0107]本発明は例として上記で説明されてきた。当業者が、本発明の範囲から逸脱することなく本発明の異なる実施形態を実行することができることが理解される。
【図１】
2019533099.tif 000003
【図２】
2019533099.tif 000004
【図３】
2019533099.tif 000005
【図４】
2019533099.tif 000006
【図５】
2019533099.tif 000007
【図６】
2019533099.tif 000008
【図７】
2019533099.tif 000009
【図８】
2019533099.tif 000010
【図９】
2019533099.tif 000011
【図１０】
2019533099.tif 000012
【図１１】
2019533099.tif 000013
【図１２】
2019533099.tif 000014
【図１３】
2019533099.tif 000015
【図１４】
2019533099.tif 000016
【図１５】
2019533099.tif 000017
【図１６】
2019533099.tif 000018
【図１７】
2019533099.tif 000019
【図１８】
2019533099.tif 000020
【図１９】
2019533099.tif 000021
【図２０ａ】
2019533099.tif 000022
【図２０ｂ】
2019533099.tif 000023
【図２０ｃ】
2019533099.tif 000024
【図２０ｄ】
2019533099.tif 000025
【図２１ａ】
2019533099.tif 000026
【図２１ｂ】
2019533099.tif 000027
【図２１ｃ】
2019533099.tif 000028
【図２１ｄ】
2019533099.tif 000029
【図２２】
2019533099.tif 000030
【国際調査報告】
2019533099.tif 000031
2019533099.tif 000032
2019533099.tif 000033
2019533099.tif 000034